(57)【要約】      （修正有）【課題】多様な色変化を可能とする発光制御を行うものであって、ユーザの誤操作を抑止できる。【解決手段】棒状ライトは、筒状の胴体部と、胴体部の内部に設けられ、発光する発光部と、胴体部と連結し、手でつかむための保持部と保持部の内部に設けられ、発光部に動力を供給する電源部と、保持部の底面に設けられた、発光部の発光条件を制御する２つのボタン１２０、１２１を有する指示部を有する。【選択図】図１０
2014199772.tif 000002
【特許請求の範囲】
【請求項１】
筒状の胴体部と、
前記胴体部の内部に設けられ、発光する発光部と、
前記胴体部と連結し、手でつかむための保持部と
前記保持部の内部に設けられ、前記発光部に動力を供給する電源部と、
前記保持部の底面に設けられた、前記発光部の発光条件を制御する２つのボタンを構成する指示部を有する棒状ライト。
【請求項２】
前記指示部は、
円形であり、前記２つのボタンはそれぞれ半円であることを特徴とする請求項１記載の棒状ライト。
【請求項３】
前記胴体部は、更に、
内側に装飾シートを備えることを特徴とする請求項１または２記載の棒状ライト。
【請求項４】
前記胴体部は、前記保持部から着脱可能であることを特徴とする請求項１から３いずれか１項記載の棒状ライト。
【請求項５】
前記保持部は、更に、
前記発光部の発光条件を制御する制御部を備えることを特徴とする請求項１から４いずれか１項記載の棒状ライト。
【請求項６】
前記指示部は、更に、
前記制御部に対して、前記発光条件の切り替え指示を与えるものであることを特徴とする請求項５記載の棒状ライト。
【発明の詳細な説明】
【技術分野】
【０００１】
本発明は、棒状ライトに関するものである。
【背景技術】
【０００２】
イベント・祝祭行事などにおいて、ペンライトや、照明など光を用いて演出効果を高めるものや、光によって興味を引き立てるライトが多く流通している。
【０００３】
とりわけ、棒状ライトは、コンサート等の夜間に行われるイベントにおいては、点灯した状態で振りかざし、会場を盛り上げるために多く用いられている。
【０００４】
そのため、棒状ライトは、手で振りかざせる程度の小型軽量であり、かつ、十分な照度及びそれを維持できるだけの電力を備える必要がある。
【０００５】
近年の棒状ライトに関する技術が特許文献１及び特許文献２に開示されている。
【０００６】
特許文献１には、光の三原色を構成する各色を発光する発光ダイオードが備えられ、その各発光ダイオードが個別に制御されることにより、光源部を任意の色に発光させることが可能な棒状ライトに関する技術が開示されている。
【０００７】
特許文献２には、発光具のスイッチの一極として、発光素子を指示した電気基盤を利用することで軽量化及び小型化が可能な棒状ライトに関する技術が開示されている。
【先行技術文献】
【特許文献】
【０００８】
【特許文献１】特開２００１−９３３０１号公報
【発明の概要】
【発明が解決しようとする課題】
【０００９】
しかしながら、特許文献１記載棒状ライトは、ＬＥＤの光をより拡散させるものであるが、多様の色を発光制御することが困難であった異なる発光条件を設定することが困難であった。また、特許文献１記載の棒状ライトは、保持部のユーザが手でつかむ部分に発光のオン／オフを制御するスイッチを備えていることから、ユーザがコンサートホールなどで棒状ライトを激しく振った際の、誤ってスイッチを押してしまうような誤操作の問題があった。
【００１０】
そこで、本発明は、上記事情に鑑み、多様な色変化可能な発光制御できるものであって、ユーザの誤操作を抑止できる棒状ライトを提供することを目的とするものである。
【課題を解決するための手段】
【００１１】
本発明に係る棒状ライトは、筒状の胴体部と、胴体部の内部に設けられ、発光する発光部と、胴体部と連結し、手でつかむための保持部と保持部の内部に設けられ、前記発光部に動力を供給する電源部と、保持部の底面に設けられた、発光部の発光条件を制御する２つのボタンを構成する指示部を有するものである。
【００１２】
「胴体部」は、発光部の発光の様子が外から確認できるように透過性を有したものをいう。例えば、半透明のプラスチックやガラス等で構成されてもよい。また、胴体部は、更に、内側に装飾シートを備えてもよい。また、胴体部は、保持部から着脱可能な構成としてもよい。
【００１３】
「装飾シート」とは、特定の波長の光が透過可能なシートのことをいう。発光部から発光された特定の波長の光を、該装飾シートに透過させることで、光が色を有しているように見せる効果がある。また、装飾シートは、表面に複数の凹凸を備え、光を乱反射させるものであってもよい。具体的には、セロファン、塩化ビニール、フィルム等が挙げられる。
【００１４】
「指示部」は、発光部の発光条件を制御するものである。指示部は２つ以上のボタンにより構成されるものであって、例えば、指示部全体は円形であり、２つのボタンはそれぞれ半円であってもよい。
【００１５】
「発光部」は、電源部からの動力供給を受け発光するものをいう。具体的には発光ダイオード等が挙げられる。発光体は各発光体が、単一の発光色に発光するものとしてもよいし、各発光体が複数の発光色に発光するものとしてもよい。
【００１６】
「ヘッド部」は、発光部が発する光を遮蔽するものであり、例えばアルミ等の金属片を用いてもよい。また、ヘッド部は、光を一部透過させる、図形形状からなる切り込み部を有する構成としてもよい。
【００１７】
「保持部」は、利用者が棒状ライトをつかむための部位をいう。保持部は、ストラップ等を装着できるような突起物を有してもよい。保持部は、更に、発光部の発光条件を制御する制御部を備える構成としてもよい。
【００１８】
「電源部」は、発光部に動力を供給するものをいう。具体的には、乾電池やボタン電池等が挙げられる。電源部は、前述の乾電池のように内部に電力を蓄えたものの方が望ましいが、例えばバッテリーのように、外部電源と接続し、電源の供給を受けるものとしてもよい。
【００１９】
「制御部」は、制御回路を有したものをいい、具体的にはＣＰＵやＩＣチップ等の基盤回路が挙げられる。制御部では発光部の発光条件として、例えば発光部の照度、点滅速度、点滅色等を制御する。
【発明の効果】
【００２０】
本発明の棒状ライトは、保持部の底面に設けられた、前記発光部の発光条件を制御する２つのボタンを構成する指示部を有することにより、多様な色変化を可能とする発光制御を行うものであって、ユーザの誤操作を抑止することが可能になる。
【００２１】
また、ヘッド部は、光を一部透過させる、図形形状からなる切り込み部を備える際においては、発光の照度を抑えつつ、ヘッド部上に文字や図形を浮かび上がらせることが可能になる。
【００２２】
また、胴体部は、更に、内側に装飾シートを備える際においては、胴体部の側面から発せられる光に装飾性を持たせることが可能になる。
【００２３】
また、胴体部は、保持部から着脱可能である際においては、劣化した発光部の取替えや切り込み部の形状が異なるヘッド部への取替えが容易に可能となる。
【００２４】
また、保持部は、更に、発光部の発光条件を制御する制御部を備える際においては、より多くの発光パターンを実現可能になる。
【００２５】
また、保持部は、更に、制御部に対して発光条件の切り替え指示を与えるスイッチ部を備える際においては、利用者が自由に発光パターンを選択することが可能になる。
【図面の簡単な説明】
【００２６】
【図１】本発明の第１の実施形態に係る棒状ライトの正面図
【図２】本発明の第１の実施形態に係る棒状ライトの背面の断面図
【図３】本発明の第１の実施形態に係る棒状ライトの背面図
【図４】本発明の第１の実施形態に係る棒状ライトの側面図
【図５】本発明の第１の実施形態に係る棒状ライトの底面図
【図６】本発明の第１の実施形態に係る棒状ライトの上面図
【図７】本発明の第１の実施形態に係る指示部の概略図
【図８】本発明の第１の実施形態に係る棒状ライトの発光に関する通常使用モードの例を示した図
【図９】本発明の第１の実施形態に係る棒状ライトの発光に関するメモリーモードの例を示した図
【図１０】本発明の第１の実施形態に係る保持部の断面を示した斜視図
【発明を実施するための形態】
【００２７】
［第１の実施形態］
以下、本発明の第１の実施の形態を図１乃至図１０を用いて説明する。
【００２８】
本発明に係る棒状ライト１００は、筒状の胴体部１０１と、胴体部１０１の内部に設けられ、発光する発光部２０１と、胴体部１０１と連結し、手でつかむための保持部４０１と、保持部４０１の内部に設けられ、発光部２０１に動力を供給する電源部５０１と、保持部４０１の底面に設けられた、発光部の発光条件を制御する２つのボタンを構成する指示部を有する。
【００２９】
胴体部１０１は、発光部２０１の発光の様子が外から確認できるように透過性を有したものをいう。例えば、半透明のプラスチックやガラス等で構成されてもよい。第１の実施形態においてはプラスチックで構成されている。
【００３０】
ヘッド部３０１は、発光部２０１が発する光を遮蔽するものであり、例えばアルミ等の金属片を用いてもよい。また、第１の実施形態ではアルミ板で構成されている。
【００３１】
発光部２０１は、電源部５０１からの動力供給を受け発光するものをいう。具体的には発光ダイオード等が挙げられる。発光体は各発光体が、単一の発光色に発光するものとしてもよいし、各発光体が複数の発光色に発光するものとしてもよい。第１の実施形態においては、白色光を発する発光ダイオードを用いている。
【００３２】
保持部４０１は、利用者が棒状ライト１００をつかむための部位をいう。
【００３３】
電源部５０１は、発光部２０１に動力を供給するものをいう。具体的には、乾電池やボタン電池等が挙げられる。電源部５０１は、前述の乾電池のように内部に電力を蓄えたものの方が望ましいが、例えばバッテリーのように、外部電源と接続し、電源の供給を受けるものとしてもよい。
【００３４】
図１は第１の実施形態に係る棒状ライト１００の正面を示す図、図２は第１の実施形態に係る棒状ライト１００の側面からみた断面の様子を示す図、図３は第１の実施形態に係る棒状ライト１００の背面を示す図、図４は第１の実施形態に係る棒状ライト１００の側面を示す図、図５は第１の実施形態に係る棒状ライト１００の底面を示す図、図６は、第１の実施形態に係る棒状ライト１００の上面を示す図、図７は第１の実施形態に係る指示部の概略図である。
【００３５】
第１の実施形態において、棒状ライト１００は、図１に示すように、胴体部１０１の上端にヘッド部３０１を備えている。また胴体部１０１は、下端で保持部４０１と連結している。さらに、保持部４０１は、ストラップ留４０３としてストラップ４０２等を装着できるような突起物を有し、図２に示すように内部に電源部５０１を備えている。また、棒状ライト１００は、リフレクター１３７、アルミブロック１３２を備えている。
【００３６】
また、第１の実施形態において、保持部４０１は、図３及び図４に示すように背面に電源部５０１を外部から取り外し可能な、電源蓋４５１を備えている。
【００３７】
また、ヘッド部３０１は、光を一部透過させる、図形形状からなる切り込み部３０２を有する構成としてもよい。
【００３８】
また、ヘッド部に切り込み部をそなえてもよい。具体的には、切り込み部は、線状の図形形状であり、ヘッド部３０１へ照射された光が透過可能な箇所をいう。切り込み部は、星や王冠のような図形や、文字としてもよい。ただし、切り込み部は照度を十分に抑えられる程度の幅であることが望ましい。
【００３９】
また、胴体部１０１は、更に、内側に装飾シート１０２を備えてもよい。装飾シート１０２は、特定の波長の光が透過可能なシートのことをいう。発光部２０１から発光された特定の波長の光を、該装飾シートに透過させることで、光が色を有しているように見せる効果がある。また、装飾シートは、表面に複数の凹凸を備え、光を乱反射させるものであってもよい。具体的には、セロファン、塩化ビニール、フィルム等が挙げられる。
【００４０】
第１の実施形態において、装飾シート１０２は胴体部１０１の内側に沿うように配置されている。
【００４１】
また、胴体部１０１は、保持部４０１から着脱可能な構成としてもよい。
【００４２】
第１の実施形態においては、胴体部１０１は下端の外周部に、保持部４０１は上端の内周部にそれぞれ切り込みを有している。これによって、胴体部１０１の下端を保持部４０１に差し込んで回転させることで連結させることが可能になる。また、胴体部１０１を連結時と逆方向に回転させることで保持部４０１から取り外すことも可能である。
【００４３】
保持部４０１は、更に、発光部２０１の発光条件を制御する制御部を備える。制御部は、図２または図１０に示すように、基盤１３０、１４０、１２９のいずれか中に搭載したものである。以下、制御部は、基盤１３２に搭載されたものであることを例に説明する。
【００４４】
制御部は、制御回路を有したものをいい、具体的にはＣＰＵやＩＣチップ等の基盤回路が挙げられる。制御部６０１では発光部２０１の発光条件として、例えば発光部２０１の照度、点滅速度、点滅色、発光させる色の種類（赤、オレンジ、黄色、青、白）、発光させる色の順番等を制御する。
【００４５】
保持部４０１は、更に、制御部に対して、発光条件の切り替え指示を与える指示部を有する。指示部は、発光部の発光条件を制御するものである。指示部は２つ以上のボタンにより構成されるものである。具体的には、指示部は、ボタン１２０、ボタン１２１により構成される。また、指示部、全体は円形であり、２つのボタンはそれぞれ半円であってもよい
【００４６】
棒状ライト１００は、図７に示すようにボタン１２０（以下、ボタンＡ）およびボタン１２１（以下、ボタンＢ）、ボタンを押す回数によって、発光部２０１の発光条件を切り替えように制御部に指示するものである。図８は、棒状ライト１００の発光に関する通常使用モードの例を示すものであり、図９は、棒状ライト１００の発光に関するメモリーモードの例を示すものである。
【００４７】
通常使用モードは、図８に示すように、共通したデフォルト設定、カスタム設定したものとなる。ボタンＡおよびボタンＢを同時に押すと、０．５秒でスイッチが入り、消灯時の色で点灯する。また、ボタンＡおよびボタンＢを１秒押し続けると♯１（初期設定の色、例えば白色）色で点灯する。ボタンＡのみを押した場合、予め設定された色の順番に色が変化する。また、ボタンＢのみを押した場合、色の順番が逆送りで変化する。また、あらためてボタンＡおよびＢを同時に０．５秒押すとスイッチがＯＦＦになる。
【００４８】
メモリーモードは、図９に示すように、デフォルト設定を変更し、使用できる色種、色順をカスタム設定できる。ボタンＡおよびボタンＢを同時に５秒間押し続けると、設定モードを開始する。また、ボタンＡのみを押した場合、色の順番送りを可能とする。また、ボタンＢのみを押した場合、色を選択できる。また、あらためてボタンＡおよびＢを同時に０．５秒押すと設定モードが終了する。
【００４９】
棒状ライト１００は、胴体部１０１、保持部４０１が連結した筒状の形状をしている。胴体部１０１の内側に装飾シートが挿入され、上端は、内蓋で閉じられ、該内蓋の上から、ヘッド部３０１が被せられ、固定されている。
【００５０】
また、胴体部１０１は、固定具に挿入され、保持部に連結する。また、保持部４０１は、ネジによって接続している。
【００５１】
次に、保持部４０１の内部構造について、説明する。
【００５２】
発光部２０１は、器具がネジによって固定され、凸面鏡１３８の内部に設けられる。これによって、発光部２０１が下方に照射する光を、上方向に反射させることが可能になる。
【００５３】
凸面鏡１３８は、散熱器具の内部に設けられ、凸面鏡固定具によって保持部４０１に固定される。保持部４０１には、熱を拡散するための通気孔１５１を備える。
【００５４】
また、制御部は、ＩＣを有し、ネジによって保持部４０１に固定される。
【００５５】
指示部は、保持部４０１の底に設けられ、ボタンＡおよびＢを有している。利用者がボタンＡまたは／およびＢを押すと、ボタンを介して端子が押下され、該押下の回数等の情報が基盤に伝えられる。該情報をもとに基盤は制御部に発光条件の変更指示を与える。
【００５６】
電源部５０１は、金具を介して保持部４０１と接続し、金具によって固定されている。電源部５０１は電源蓋４５１を開くことで外部から取り外し可能な構造になっている。
【００５７】
本発明に係る棒状ライト１００は、保持部４０１の底面に設けられた、発光部の発光条件を制御する２つのボタンを構成する指示部を有する際には、多様な色変化を可能とする発光制御を行うものであって、ユーザの誤操作を抑止することができる。
【００５８】
また、ヘッド部３０１は、光を一部透過させる、図形形状からなる切り込み部３０２を備える際においては、発光の照度を抑えつつ文字や図形を浮かび上がらせることが可能になる。
【００５９】
また、胴体部１０１は、更に、内側に装飾シート１０２を備える際においては、胴体部１０１の側面から発せられる光に装飾性を持たせることが可能になる。
【００６０】
また、胴体部１０１は、保持部４０１から着脱可能である際においては、劣化した発光部２０１の取替えや切り込み部の形状が異なるヘッド部３０１への取替えが容易に可能となる。
【００６１】
また、保持部４０１は、更に、発光部２０１の発光条件を制御する制御部６０１を備える際においては、より多くの発光パターンを実現可能になる。
【００６２】
本実施形態では、棒状ライトを例に説明したが、必ずしも棒状の形態に限定するものではなく、特に胴体部はその他の形状であってもよい。
【符号の説明】
【００６３】
１００            棒状ライト
１０１            胴体部
１２０                  ボタンＡ
１２１                  ボタンＢ
２０１            発光部
３０１            ヘッド部
４０１            保持部
４０３            ストラップ留
【図１】
2014199772.tif 000003
【図２】
2014199772.tif 000004
【図３】
2014199772.tif 000005
【図４】
2014199772.tif 000006
【図５】
2014199772.tif 000007
【図６】
2014199772.tif 000008
【図７】
2014199772.tif 000009
【図８】
2014199772.tif 000010
【図９】
2014199772.tif 000011
【図１０】
2014199772.tif 000012